(57)【特許請求の範囲】
【請求項１】
充電台本体と、前記充電台本体に収納される操作レバーおよびコイルばねとを有し、電子機器を充電するための充電台装置であって、
前記充電台本体は、軸受部およびリブを有し、
前記操作レバーは、前記軸受部に回動可能に配置される軸と、前記コイルばねの一端を係止するための係止片とを有し、
前記コイルばねの一部は充電用出力端子であり、
前記電子機器が前記充電台本体の上に載置されると、前記コイルばねの他端は前記リブと接触しながらスライドし、前記操作レバーが前記軸を中心として回動し、前記充電用出力端子が前記充電台本体から突出して前記電子機器の充電用入力端子と接触する、充電台装置。
【請求項２】
前記操作レバーは前記充電台本体から突出する操作部を有し、
前記電子機器が前記充電台本体の上に載置されると、前記操作部は前記電子機器によって押圧操作されて、前記操作レバーが前記軸を中心として回動する、請求項１に記載の充電台装置。
【請求項３】
前記充電台本体の前記リブは、端部が傾斜したテーパ部を有する、請求項１または２に記載の充電台装置。
【発明の詳細な説明】
【０００１】
【発明の属する技術分野】
本発明は、携帯電話機、コードレス電話機、その他の充電電池を電源とする電子機器用の充電台装置に関する。
【０００２】
【従来の技術】
一般に、充電電池を電源とする電子機器では、充電電池を充電するするために、充電台装置が多く用いられている。
【０００３】
従来、この種の充電台装置は、例えば、図５に示すように構成されている。図５に示す充電台装置５０は、充電台本体５１の上面に、充電回路に接続される充電用出力端子５２が前記充電台本体５１の上面より突出するように装着されている。そして、充電用出力端子５２の近傍には、充電用出力端子５２への充電電圧の供給をオンオフ制御するスイッチの操作子５３が配置されている。
【０００４】
したがって、この充電台装置５０では、充電台本体５１に電池を電源とする、例えば、携帯電話機などの電子機器５４を載置することにより、電子機器５４に設けた充電用入力端子５５が充電台本体５１に設けた充電用出力端子５２に接触し、両者が互いに電気的に接続されると同時に、スイッチの操作子５３が電子機器５４で押圧操作され、スイッチがオンして充電に必要な充電電圧が充電用出力端子５２に供給され、この充電電圧が充電用入力端子５５を介して電子機器５４内の充電電池に供給され、充電電池がこの充電電圧で充電される。
【０００５】
そして、電子機器５４を充電台本体５１より切り離した場合には、スイッチの操作子５３が電子機器５４で押圧操作されなくなり、スイッチがオフし、充電用出力端子５２に充電電圧が供給されなくなる。
【０００６】
【発明が解決しようとする課題】
しかしながら、図５に示す充電台装置５０では、スイッチの操作子５３が充電用出力端子５２の直ぐ側に配置されており、誤って操作子５３を手で操作し、その状態で充電用出力端子５２に手を触れるということも充分に考えられ、この場合には、やはり、充電用出力端子の破損等の問題を引き起こすという問題があった。
【０００７】
本発明は、このような問題を解決するものであり、簡単な構成で、充電用出力端子に容易に手を触れない優れた充電台装置を提供することを目的とするものである。
【０００８】
【課題を解決するための手段】
本発明の充電台装置は、充電台本体と、前記充電台本体に収納される操作レバーおよびコイルばねとを有し、電子機器を充電するための充電台装置であって、前記充電台本体は、軸受部を有し、前記操作レバーは、前記軸受部に回動可能に配置される軸と、前記コイルばねの一端を係止するための係止片とを有し、前記コイルばねの一部は充電用出力端子であり、前記電子機器が前記充電台本体の上に載置されると、前記操作レバーが前記軸を中心として回動し、前記充電用出力端子が前記充電台本体から突出して前記電子機器の充電用入力端子と接触するものである。
また、本発明は、前記操作レバーは前記充電台本体から突出する操作部を有し、前記電子機器が前記充電台本体の上に載置されると、前記操作部は前記電子機器によって押圧操作されて、前記操作レバーが前記軸を中心として回動するものを含む。
【０００９】
この構成により、電子機器を載置しない状態では、充電用出力端子が充電台本体より突出しておらず、物や手等が触れることがないため、その他の問題を容易に、かつ、正確に解消することができる。また、操作レバーが電子機器によって操作され、電子機器が載置されたときのみ充電用出力端子が充電台本体より突出することになり、常に充電用出力端子を保護するという作用を有する。
【００１４】
また、本発明は、前記充電台本体はリブを有し、前記電子機器が前記充電台本体の上に載置されると、前記コイルばねの他端は前記リブと接触しながらスライドし、前記操作レバーが前記軸を中心として回動するものを含む。
また、本発明は、前記充電台本体の前記リブは、端部が傾斜したテーパ部を有するものを含む。
【００１５】
この構成により、コイルばねに一体に充電用出力端子を形成することができ、全体として、簡単な構成で、正確な動作を行う充電台装置を提供することができる。
【００１６】
【発明の実施の形態】
以下、本発明の実施の形態について図面を用いて説明する。
図１は、本発明の一実施の形態における充電台装置の分解斜視図、図２は、同充電台装置の要部における第１の断側面図、図３は、同充電台装置の要部における第２の断側面図、図４は、同充電台装置に電子機器を載置した状態の要部断側面図である。
【００１７】
本発明の一実施の形態における充電台装置は、図１〜図３に示すように、先ず、充電台本体１がそれぞれ互いに着脱自在に嵌合固定される上ケース１ａ、下ケース１ｂで構成されている。そして、上ケース１ａには、電子機器を載置したとき、その載置された電子機器の外周を包囲する５つの突堤２ａ、２ｂ、２ｃ、２ｄ、２ｅがそれぞれ上ケース１ａに一体に形成されている。
【００１８】
突堤２ａの内側には、先端に係止爪３ａを有する係止片３が軸部３ｂを以って回動自在に取付けられている。そして、係止片３は、係止爪３ａが突堤２ａに形成した透孔４より突出するようにコイルスプリング５によって弾性的に付勢されている。
【００１９】
上ケース１ａの上面中央部には、必要事項を印刷したラベル６を接着するためのラベル接着部７が形成され、また、上ケース１ａの突堤２ｂ、２ｃに近い位置には、ゴム、スポンジなどで形成されたクッション８ａ、８ｂを挿入固定する穴９ａ、９ｂが形成されている。
【００２０】
また、突堤２ｄ、２ｅは、上ケース１ａに電子機器を載置したとき、その電子機器の一端部にある２つの隅のそれぞれの２辺を囲うように、上から見たときＬ字状に形成されており、この突堤２ｄ、２ｅの互いに対向する面の一部には、後述する操作レバーの操作部が挿入される凹部１０ａ、１０ｂが形成されている。そして、これらの凹部１０ａ、１０ｂには、それぞれ図に表れていないが、操作レバーの操作部が出入する透孔が形成されている。
【００２１】
また、上ケース１ａの突堤２ｄ、２ｅに近い部分には、後述する充電用出力端子を出入自在に挿入する透孔１１ａ、１１ｂが形成されており、この透孔１１ａ、１１ｂに近接する位置には、上ケース１ａに電子機器を載置したときの電子機器の位置決めの役目をする突部１２ａ、１２ｂが形成されている。
【００２２】
次に、下ケース１ｂは、前述したように、上ケース１ａが嵌合固定されるように周辺にリブ１３を有し、また、上ケース１ａと下ケース１ｂは、互いに嵌合固定された後、更に、ビス１４によって締付固定されるように構成されている。
【００２３】
下ケース１ｂの内側で、下ケース１ｂに上ケース１ａを嵌合固定したとき上ケース１ａに形成した突堤２ａに対向する位置には、ネジ１５ａ、１５ｂを締付け固定するためのボス１６ａ、１６ｂが一体に形成されており、ここにネジ１５ａ、１５ｂによってコネクタ１７が強固に締め付け固定されている。
【００２４】
一方、下ケース１ｂの内側で、下ケース１ｂに上ケース１ａを嵌合固定したとき上ケース１ａに形成した突堤２ｄ、２ｅに対向する位置には、それぞれ上端に軸受用の凹部１８ａ、１８ｂを有するリブ１９ａ、１９ｂが一体に形成されている。そして、軸受用の凹部１８ａ、１８ｂには、操作レバー２０に一体に形成された軸２１ａ、２１ｂが挿入され、上ケース１ａを下ケース１ｂに嵌合固定した状態では、図３に示すように、上ケース１ａに形成されたリブ２２ａ、２２ｂが軸受用の凹部１８ａ、１８ｂに挿入された軸２１ａ、２１ｂに当接するように構成されている。したがって、軸２１ａ、２１ｂは、結果的に、軸受用の凹部１８ａ、１８ｂと上ケース１ａに形成されたリブ２２ａ、２２ｂとによって軸受けされることになり、操作レバー２０を正確に軸２１ａ、２１ｂを中心に回動自在に枢着する。
【００２５】
ところで、操作レバー２０は、枠状に形成されたホルダー部２３と、このホルダー部２３の両端部にそれぞれ軸２１ａ、２１ｂを介して一体に形成された操作部２４ａ、２４ｂとで構成され、ホルダー部２３と操作部２４ａ、２４ｂとは、軸２１ａ、２１ｂの方向から見たとき、互いに直交するように、Ｌ字状に配置されている。そして、ホルダー部２３には、２つの透孔２５ａ、２５ｂが形成され、この透孔２５ａ、２５ｂ内には、それぞれ軸２１ａ、２１ｂと平行な軸２６ａ、２６ｂが一体に形成されている。
【００２６】
軸２６ａ、２６ｂには、充電用出力端子を構成するコイルばね２７ａ、２７ｂが装着されている。すなわち、充電用出力端子を構成するコイルばね２７ａ、２７ｂは、中央部に捲回部２８ａ、２８ｂを有し、この捲回部２８ａ、２８ｂが軸２６ａ、２６ｂに嵌合されている。そして、それぞれのコイルばね２７ａ、２７ｂの一端部には、それぞれ屈曲部２９ａ、２９ｂが形成され、これらの屈曲部２９ａ、２９ｂにそれぞれコネクタ１７に接続されるそれぞれのリード線３０ａ、３０ｂが電気的に接続されている。
【００２７】
また、屈曲部２９ａ、２９ｂは、下ケース１ｂに形成したリブ３１ａ、３１ｂのテーパ部３２ａ、３２ｂに圧接し、このテーパ部３２ａ、３２ｂに沿ってスライド可能に構成されている。
【００２８】
それぞれのコイルばね２７ａ、２７ｂの他端部には、くの字状の充電用出力端子部３３ａ、３３ｂが形成され、このくの字状の充電用出力端子部３３ａ、３３ｂは、ホルダー部２０より大きく突出するように構成されている。そして、ホルダー部２０には、透孔２５ａ、２５ｂ側にそれぞれ突出する係止部３４ａ、３４ｂが一体に形成されており、この係止部３４ａ、３４ｂがそれぞれコイルばね２７ａ、２７ｂの他端部３７ａ、３７ｂを係止するように構成されている。
【００２９】
尚、図１において、３５ａ、３５ｂは下ケース１ｂの下面に取付けられる滑り止め用の脚、３６は、同様に下ケース１ｂの下面に取付けられる銘板である。
【００３０】
次に、本実施の形態について、その動作を詳細に説明する。
本実施の形態において、コネクタ１７や操作レバー２０を充電台本体１に取付ける場合には、先ず、コネクタ１７とコイルばね２７ａ、２７ｂの一端部に形成した屈曲部２９ａ、２９ｂとの間をリード線３０ａ、３０ｂで互いに接続する。そしてこの状態で、コイルばね２７ａ、２７ｂの中央部に形成した捲回部２８ａ、２８ｂを、操作レバー２０を構成するホルダー部２３に形成した透孔２５ａ、２５ｂ内のそれぞれの軸２６ａ，２６ｂに嵌合する。そして、次に、コイルばね２７ａ、２７ｂの一端部を係止部３４１ａ、３４１ｂに引っかけた上で、コイルばね２７ａ、２７ｂの他端部３７ａ、３７ｂを係止部３４ａ、３４ｂの下に位置させ、この状態で、操作レバー２０に一体に形成した軸２１ａ、２１ｂを下ケース１ｂに形成したリブ１９ａ、１９ｂの軸受用凹部１８ａ、１８ｂに挿入する。そして、次に、コネクタ１７をネジ１５ａ、１５ｂによって下ケース１ｂに形成したボス１６ａ、１６ｂに取付け、この状態で、上ケース１ａを下ケース１ｂに嵌合する。
【００３１】
このようにすると、先ず、図３に示すように、軸２１ａ、２１ｂが上ケース１ａに形成されたリブ２２ａ、２２ｂに当接し、軸２１ａ、２１ｂがリブ１９ａ、１９ｂに形成された軸受用凹部１８ａ、１８ｂと上ケース１ａに形成されたリブ２２ａ、２２ｂとの間で正確に軸受けされるようになる。そして、このとき、同時に、図２に示すように、コイルばね２７ａ、２７ｂの一端部に形成した屈曲部２９ａ、２９ｂがリブ３１ａ、３１ｂに形成したテーパ部３２ａ、３２ｂに当接し、テーパ部３２ａ、３２ｂに沿って図中左下方向にスライドすることになる。したがって、操作レバー２０は、軸２１ａ、２１ｂを中心に矢印の方向に回動することになり、操作部２４ａ、２４ｂが突堤２ｄ、２ｅに形成した透孔より斜め方向に傾斜して突出し、コイルばね２７ａ、２７ｂの他端部に一体に形成したくの字状の充電用出力端子部３３ａ、３３ｂは、上ケース１ａに形成した透孔１１ａ、１１ｂより突出せず、充電台本体１の内部に収納された状態になる。
【００３２】
充電台本体１に携帯電話機、その他の電子機器を載置すると、これらの電子機器は、上ケース１ａに形成した突堤２ａ、２ｂ、２ｃ、２ｄ、２ｅで包囲され、突堤２ａに設けた係止片３で係止され、上ケース１ａの上面の定められた位置に正確に保持される。そして、この場合には、図４に示すように、電子機器３８の端部が操作レバー２０の操作部２４ａ、２４ｂを矢印の方向に押圧操作することになり、操作レバー２０は、軸２１ａ、２１ｂを中心に反時計方向に回動することになる。したがって、この状態では、コイルばね２７ａ、２７ｂの他端部に形成したくの字状の充電用出力端子部３３ａ、３３ｂが上ケース１ａに形成した透孔１１ａ、１１ｂより上ケース１ａの上面に突出することになり、上ケース１ａ載置された電子機器３８の充電用入力端子３９に弾性的に強力に圧接することになる。
【００３３】
すなわち、本実施の形態では、図４に示すように、コイルばね２７ａ、２７ｂの一端部に形成した屈曲部２９ａ、２９ｂがリブ３１ａ、３１ｂに形成したテーパ部３２ａ、３２ｂの図中右上位置に移行することになり、コイルばね２７ａ、２７ｂに対して大きな弾性復元力が作用する。そして、この状態で、コイルばね２７ａ、２７ｂの他端部に形成した充電用出力端子部３３ａ、３３ｂが電子機器３８の充電用入力端子３９に圧接することになるのであるが、この場合、コイルばね２７ａ、２７ｂの他端部３７ａ、３７ｂは、係止部３４ａ、３４ｂより離れた位置にあり、このことによって、充電用出力端子部３３ａ、３３ｂは、電子機器３８の充電用入力端子３９により強力に圧接することになる。そのため、本実施の形態によれば、充電用出力端子部３３ａ、３３ｂと充電用入力端子３９との電気的な接続をより良好なものとすることができる。
【００３４】
以上、本実施の形態によれば、常時充電用出力端子３３ａ、３３ｂが充電台本体１に収納されており、充電台本体１に電子機器３８を載置したときのみ充電用出力端子３３ａ、３３ｂが充電台本体１より突出し、充電台本体１に載置された電子機器３８の充電用入力端子３９に接触するように構成されており、充電台本体１に電子機器３８が載置されていない状態で不用意に充電用出力端子３３ａ、３３ｂが充電台本体１より突出するようなことがないという利点を有する。
【００３５】
また、本実施の形態によれば、操作レバー２０を軸２１ａ、２１ｂを中心に回動自在に枢着すると共に、操作レバー２０を構成する保持部２３にそれぞれ軸２６ａ、２６ｂを形成して、これらの軸２６ａ、２６ｂにそれぞれコイルばね２７ａ、２７ｂ（捲回部２８ａ、２８ｂ）を装着し、コイルばね２７ａ、２７ｂの一端部（屈曲部２９ａ、２９ｂ）を下ケース１ｂに形成したリブ３１ａ、３１ｂのテーパ部３２ａ、３２ｂに当接し、他端部をホルダー部２３に形成した係止部３４ａ、３４ｂに係止させるようにしており、したがって、操作レバー２０には、常時、図２に示す矢印の方向の付勢力が付与されており、電子機器３８を充電台本体１に載置し、その電子機器３８で操作レバー２０を矢印と反対の方向に回動させた場合には、コイルばね２７ａ、２７ｂに形成した充電用出力端子３３ａ、３３ｂに透孔１１ａ、１１ｂより外部に突出する方向の弾性力がより強く作用することになり、充電用出力端子３３ａ、３３ｂが電子機器３８の充電用入力端子３９により強く接触し、両者の電気的接続がより強固になるという作用を有する。そして、本実施の形態によれば、コイルばね２７ａ、２７ｂの一部をくの字状に折り曲げてそれをそのまま充電用出力端子３３ａ、３３ｂとしており、別個に特別な充電用出力端子を必要とせず、その構成が非常に簡単にであるという特徴を有する。
【００３６】
また、本実施の形態によれば、操作レバー２０を充電台本体１に回動自在に装着するに際し、操作レバー２０に形成した軸２１ａ、２１ｂをそれぞれ上ケース１ａに形成したリブ２２ａ、２２ｂと下ケース１ｂに形成したリブ１９ａ、１９ｂで挟持するようにしており、したがって、先に、リブ１９ａ、１９ｂに形成した軸受用凹部１８ａ、１８ｂに軸２１ａ、２１ｂを挿入し、その後、この状態で、下ケース１ｂに上ケース１ａを嵌合することにより容易に軸２１ａ、２１をそれぞれ上ケース１ａに形成したリブ２２ａ、２２ｂと下ケース１ｂに形成したリブ１９ａ、１９ｂで挟持することができ、その組立が非常に容易であるという作用を有する。
【００３７】
また、本実施の形態によれば、先に説明したように、上ケース１ａに形成した突堤１ｄ、１ｅにそれぞれ凹部１０ａ、１０ｂが形成され、この凹部１０ａ、１０ｂに形成した透孔（図示していない）より操作レバー２０を構成するそれぞれの操作部２４ａ、２４ｂが充電台本体１より外部に突出するように構成されており、操作レバー２０の操作部２４ａ、２４ｂは、ほとんど突堤１ｄ、１ｅの凹部１０ａ、１０ｂ内に位置し、手で操作する場合には、意識しないと操作できない状態にある。
【００３８】
そして、操作部２４ａ、２４ｂの操作方向が、鉛直方向ではなく、水平方向になっているため、不用意に手や足が触れても、操作部２４ａ、２４ｂを操作するには至らず、充電用出力端子部３３ａ、３３ｂが充電台本体１より外部に突出することもない。したがって、本実施の形態のよれば、不用意に物や手等が充電用出力端子部３３ａ、３３ｂに接触し、充電用出力端子部の破損等の問題を引き起こすのを容易にかつ確実に防止することができる。
【００３９】
尚、本実施の形態では、充電台本体１に、トランスや整流平滑回路などの電源回路を一切設けず、コネクタ１７のみを設けてここに別に設けた電源回路からの電圧を印加するように構成しているが、トランスや整流平滑回路を設けてもよいことは言うまでもないことである。
【００４０】
【発明の効果】
以上説明したように、発明によれば、電子機器を載置しない状態では、充電用出力端子が充電台本体より突出しておらず、物や手等が触れることがなく、充電用出力端子の破損等の問題を容易に、かつ、正確に解消することができる。
【図面の簡単な説明】
【図１】本発明の一実施の形態における充電台装置の分解斜視図。
【図２】本発明の一実施の形態における充電台装置の要部を示す第１の断側面図。
【図３】本発明の一実施の形態における充電台装置の要部を示す第２の断側面図。
【図４】本発明の一実施の形態における充電台装置に電子機器を載置した状態の要部の断側面図。
【図５】従来の充電台装置の斜視図。
【符号の説明】
１  充電台本体
１ａ  上ケース
１ｂ  下ケース
２ａ、２ｂ、２ｃ、２ｄ、２ｅ  突堤
３  係止片
３ａ  係止爪
３ｂ  軸
４  透孔
５  コイルスプリング
６  ラベル
７  ラベル貼り付け部
８ａ、８ｂ  クッション
９ａ、９ｂ  穴
１０ａ、１０ｂ  凹部
１１ａ、１１ｂ  透孔
１２ａ、１２ｂ  突部
１３  リブ
１４  ビス
１５ａ、１５ｂ  ビス
１６ａ、１６ｂ  ボス
１７  コネクタ
１８ａ、１８ｂ  軸受用凹部
１９ａ、１９ｂ  リブ
２０  操作レバー
２１ａ、２１ｂ  軸
２２ａ、２２ｂ  リブ
２３  ホルダー部
２４ａ、２４ｂ  操作部
２５ａ、２５ｂ  透孔
２６ａ、２６ｂ  軸
２７ａ、２７ｂ  コイルばね
２８ａ、２８ｂ  捲回部
２９ａ、２９ｂ  屈曲部
３０ａ、３０ｂ  リード線
３１ａ、３１ｂ  リブ
３２ａ、３２ｂ  テーパ部
３３ａ、３３ｂ  充電用出力端子部
３４ａ、３４ｂ、３４１ａ、３４１ｂ  係止部
３５ａ、３５ｂ  脚
３６  銘板
３７ａ、３７ｂ  一端部
３８  電子機器
３９ａ、３９ｂ  充電用入力端子
【図１】
0004101532.tif 000002
【図２】
0004101532.tif 000003
【図３】
0004101532.tif 000004
【図４】
0004101532.tif 000005
【図５】
0004101532.tif 000006